(57)【特許請求の範囲】
【請求項１】
長尺状で垂直平面状の固定部と、該固定部の下端を外方に屈曲した底面と、該底面に一定ピッチで形成した流水孔と、底面の先端を上方に固定部と略平行に屈曲したカバー片と、該カバー片の先端を内方に屈曲した側面カバー片と、該側面カバー片の先端を上方に突出した固定面と、該固定面の下端を外方に屈曲して突出した水切り片とから形成したことを特徴とする水切り。
【発明の詳細な説明】
【０００１】
【産業上の利用分野】
本発明は内装材、外装材として使用する乾式壁材の下端部をカバーすると共に、乾式壁材の凸反りを修復・防止する水切りに関するものである。
【０００２】
【従来の技術】
従来から使用されている乾式壁材Ｂの下端部をカバーする水切りＣとしては、図１４（ａ）、（ｂ）に示すような家屋において、図１５〜図１７に示すように壁下地α（木造下地、鉄骨下地、防水シート等、あるいは既存壁下地、等よりなる）と基礎γ間に固定具βにより施工し、乾式壁材Ｂの木口端部をカバーするものであった。
【０００３】
【発明が解決しようとする課題】
しかしながら、芯材として合成樹脂発泡体を使用した乾式壁材Ｂは経年変化により図１６、図１７に示すように乾式壁材Ｂ自体が凸状に変形してしまうことが希にあった。このため、上記のような水切りＣを使用した壁は、乾式壁材Ｂが凸状に変形することにより、水切りＣの化粧面と乾式壁材Ｂの化粧面９ａ間に凸部ａ、凹部ｂが形成され、美感上問題が生じることもあった。その上、水切りＣと乾式壁材Ｂ間の間隙ｃが凸部ａ、凹部ｂにより拡大し、雨水等が内部へと浸入してしまう欠点があった。さらに、乾式壁材Ｂを張り直す作業は非常に手間とコストがかかるものであった。
【０００４】
【課題を解決するための手段】
本発明はこのような欠点を除去するため、長尺状で垂直平面状の固定部と、固定部の下端を外方に屈曲した底面と、底面に一定ピッチで形成した流水孔と、底面の先端を上方に固定部と略平行に屈曲したカバー片と、カバー片の先端を内方に屈曲した側面カバー片と、側面カバー片の先端を上方に突出した固定面と、固定面の下端を内方に屈曲して突出した水切り片とから形成したことにより、上記欠点を排除した水切りを提供するものである。
【０００５】
【実施例】
以下に図面を用いて本発明に係る水切りの一実施例について詳細に説明する。すなわち、図１（ａ）〜（ｃ）は上記水切りＡを示す一部切り欠き斜視図、断面図、ａ−ａ部端面図、図２は基礎γ部分に水切りＡを形成した場合を示す断面図である。
【０００６】
水切りＡは長尺状で垂直平面状の固定部１と、固定部１の下端を外方に屈曲した底面２と、底面２に一定ピッチで形成した流水孔３と、底面２の先端を上方に固定部１と略平行に屈曲したカバー片４と、カバー片４の先端を内方に屈曲した側面カバー片５と、側面カバー片５の先端を上方に突出した固定面６と、固定面６の下端を内方に屈曲して突出した水切り片７と、水切り片７の先端をハゼ状に屈曲した舌片８とから形成したものである。
【０００７】
固定部１は水切りＡを壁下地αに固定具βにより固定する部分である。
【０００８】
底面２には流水孔３を一定ピッチで形成し、乾式壁材Ｂと水切りＡの側面カバー片５間より浸入した雨水を外部に排出するものである。また、形成ピッチＰは３０〜３００ｍｍ位である。
【０００９】
カバー片４は乾式壁材Ｂの下端部を被覆する部分である。また、側面カバー片５は固定面６が常時弾力下で乾式壁材Ｂの化粧面９ａと接触するように形成したものである。
【００１０】
固定面６は図２に示すように固定具βにより、乾式壁材Ｂの下端部の木口面を壁下地αに固定する部分であり、この固定により、乾式壁材Ｂが図１６に示すように凸状に変形することを防止するものである。また、固定面６は乾式壁材Ｂの化粧面９ａに常時接触し、乾式壁材Ｂと水切りＡ間に隙間が形成されるのを防止し、美感性、防水性を向上するための部分である。
【００１１】
水切り片７は乾式壁材Ｂ上を流れてきた雨水等を速やかに流下させるためのものである。
【００１２】
その素材としては、金属薄板、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、塩化ビニル樹脂、ポリカーボネイト樹脂等（勿論、これらを各種色調に塗装したカラー板を含む）の一種を押出成形、ロール成形、プレス成形、等によって各種形状に成形したものである。
【００１３】
乾式壁材Ｂは図３（ａ）、（ｂ）（施工後の経時変化により凸条に変形した乾式壁材Ｂ）に示すように表面材９と裏面材１０間に芯材１１を形成し、両端に雄型連結部１２と雌型連結部１３を形成したものであり、図４に示すように、固定具βの打設と、雄型連結部１２と雌型連結部１３を嵌合することにより乾式壁材Ｂを連結するものである。勿論、水切りＡは縦張りの乾式壁材Ｂ、横張りの乾式壁材Ｂの両方に使用できるものである。
【００１４】
表面材９、裏面材１０は金属薄板、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、塩化ビニル樹脂、ポリカーボネイト樹脂等（勿論、これらを各種色調に塗装したカラー板を含む）の一種をロール成形、プレス成形、押出成形等によって各種形状に成形したもの、あるいは無機質材を押出成形、プレス成形、オートクレーブ養生成形、乾燥−焼成、等して各種任意形状に形成したものである。
【００１５】
芯材１１は例えばポリウレタンフォーム、ポリイソシアヌレートフォーム、フェノールフォーム、塩化ビニルフォーム、ポリエチレンフォーム、ポリスチレンフォーム、ユリアフォーム、等の合成樹脂発泡体からなるものであり、例えばレゾール型フェノールの原液と、硬化剤、発泡剤を混合し、表面材９、もしくは裏面材１０の裏面側に吐出させ、加熱して反応・発泡・硬化させて形成したものである。また、芯材１１中には各種難燃材として軽量骨材（パーライト粒、ガラスビーズ、石膏スラグ、タルク石、シラスバルーン、水酸化アルミニウム等）、繊維状物（グラスウール、ロックウール、カーボン繊維、グラファイト等）を混在させ、防火性を向上させることもできる。
【００１６】
さらに詳説すると、芯材１１は主に断熱材、防火材、接着剤、補強材、緩衝材、吸音材、嵩上材、軽量化材、等として機能するものである。勿論、芯材１１としてロックウール、グラスウール、セラミックウール等の無機材を使用しても良いものである。
【００１７】
また、乾式壁材Ｂと水切りＡ間には防水性の強化のためにシーリング材を形成しても良いものである。その素材としては、例えば定型で弾性のあるシーリング材としては、例えば発泡ゴム、ポリ塩化ビニル系、クロロプレン系、クロロスルホン化ポリエチレン系、エチレンプロピレン系、アスファルト含浸ポリウレタン系、ＥＰＭ、ＥＰＤＭ等の一般的に市販されているもの、あるいは硬化型のシーリング材としてはシリコーン系（反応硬化型、湿気硬化型）、変成シリコーン系（反応硬化型）、ポリサルファイド系（反応硬化型）、ポリウレタン系（反応硬化型、湿気硬化型）、ＳＢＲ系（乾燥硬化型）、アクリル系（乾燥硬化型）等よりなるものであり、主に防水材、気密材等の機能として有用なものである。勿論、これらの成分中に無機材等の難燃材、あるいは耐火性、防火性を有する例えばポリリン酸アンモニウム、水酸化アルミニウム、フェノール樹脂粒、カーボンブラック、グラファイト（発泡、非発泡）等の難燃材を混入した耐火性のあるシーリング材を使用しても良いものである。
【００１８】
次に、本発明に係る水切りＡの施工方法について簡単に説明する。まず、図１（ａ）〜（ｃ）に示すような水切りＡを図２に示すように固定部１を固定具βにより打設し、基礎γ部分の壁下地αに連続状で固定する。次に、図３（ａ）に示すような乾式壁材をＢを図４に示すように連結し、下端の木口を固定部１と底面２とカバー片４間の空間に挿入し、縦に施工する。最後に、固定面６を壁下地αに固定具βを介して打設して施工を完了するものである。
【００１９】
【その他の実施例】
以上説明したのは本発明に係る水切りの一実施例にすぎず、水切りＡを図５（ａ）〜（ｆ）、図６（ａ）〜（ｆ）、図７（ａ）〜（ｅ）、乾式壁材Ｂを図８（ａ）〜（ｇ）に示すように形成することもできる。
【００２０】
すなわち、図５（ａ）〜（ｆ）はカバー片４、固定面６、水切り片７を各種変形した水切りＡである。
【００２１】
また、図６（ａ）〜（ｆ）において、（ａ）〜（ｄ）図は載置面１ａを形成し、乾式壁材Ｂの木口面が底面２に接触しないように形成し、内部に浸入した雨水が乾式壁材Ｂの木口面に接触しないように形成したものである。これは、芯材１１が合成樹脂発泡体の場合に、乾式壁材Ｂの木口から合成樹脂発泡体が雨水を吸い上げないように形成したものである。このため、乾式壁材Ｂの芯材１１である合成樹脂発泡体が腐食せず、ヌレ雑巾化による断熱性の低下防止、壁下地αの腐食防止、乾式壁材Ｂの強度低下防止に有効である。また、図６（ｅ）、（ｆ）はアルミ合金、合成樹脂（プラスチック）の押出品により形成した水切りＡである。
【００２２】
図７（ａ）〜（ｅ）は流水孔３のその他の実施例を示す平面図である。
【００２３】
図９は底面２に載置面１ａを形成した水切りＡを施工した状態を示す断面図である。
【００２４】
図１０（ａ）〜（ｄ）は固定具βの頭部が外部に露出しないように、被覆材Ｄを形成したものであり、被覆材Ｄは被覆面１４と係止片１５とから形成したものである。特に、（ｃ）、（ｄ）図は固定具β部分にのみ形成する短尺状の被覆材Ｄであり、固定具βが挿入される切り欠き１６を有するものである。その装着は、図１０（ａ）に示すように、被覆材Ｄの係止片１５を水切りＡの固定面６に係止して固定するものである。
【００２５】
図１１は窓上に本発明に係る水切りを施工した状態を示す断面図、図１２は１階と２階等の中間部に本発明に係る水切りを施工した状態を示す断面図である。
【００２６】
勿論、図１３に示すように新築時に固定面６への固定具βの打設を省略し、万が一に乾式壁材Ｂが凸反りしてしまった時点で、固定面６へ固定具βを打設するようにしても良いものである。
【００２７】
【発明の効果】
上述したように本発明に係る水切りによれば、▲１▼水切り片の形成により、乾式壁材より流れてきた雨水が速やかに流下する。▲２▼乾式壁材端部の変形、特に合成樹脂発泡体を芯材とするサンドイッチ板では凸条を確実に抑制、固定でき、耐風圧性も向上する。▲３▼流水孔が内部に浸入した雨水を速やかに外部に排出する。▲４▼固定面が常時乾式壁材の化粧面と接触し、美感性が良い。▲５▼固定面を固定するために、乾式壁材の固定力が強化される。▲６▼底面に段差を形成（載置面を形成）した場合には、乾式壁材の木口が内部に浸入した雨水と接触せず、乾式壁材の芯材が合成樹脂発泡体である場合に、合成樹脂発泡体の腐食防止、ヌレ雑巾化による断熱性の低下防止、壁下地の腐食防止、乾式壁材の強度低下防止に有効である。等の特徴、効果がある。
【図面の簡単な説明】
【図１】本発明に係る水切りの代表例を示す説明図である。
【図２】本発明に係る水切りの施工状態を示す説明図である。
【図３】本発明で使用する乾式壁材を示す断面図である。
【図４】本発明で使用する乾式壁材の施工状態を示す断面図である。
【図５】本発明に係る水切りのその他の実施例を示す説明図である。
【図６】本発明に係る水切りのその他の実施例を示す説明図である。
【図７】本発明に係る水切りのその他の実施例を示す説明図である。
【図８】本発明で使用する乾式壁材のその他の実施例を示す断面図である。
【図９】本発明に係る水切りの施工状態を示す説明図である。
【図１０】本発明に係る水切りの施工状態を示す説明図である。
【図１１】本発明に係る水切りの施工状態を示す説明図である。
【図１２】本発明に係る水切りの施工状態を示す説明図である。
【図１３】本発明に係る水切りの施工状態を示す説明図である。
【図１４】本発明に係る水切りを使用する家屋を示す説明図である。
【図１５】従来例を示す説明図である。
【図１６】従来例を示す説明図である。
【図１７】従来例を示す説明図である。
【符号の説明】
Ａ  水切り
Ｂ  乾式壁材
Ｃ  水切り
Ｄ  被覆材
α  壁下地
β  固定具
γ  基礎
ａ  凸部
ｂ  凹部
ｃ  間隙
１  固定部
１ａ  載置面
２  底面
３  流水孔
４  カバー片
５  側面カバー片
６  固定面
７  水切り片
８  舌片
９  表面材
９ａ  化粧面
１０  裏面材
１１  芯材
１２  雄型連結部
１３  雌型連結部
１４  被覆面
１５  係止片
１６  切り欠き
【図１】
0003840513.tif 000002
【図２】
0003840513.tif 000003
【図３】
0003840513.tif 000004
【図４】
0003840513.tif 000005
【図５】
0003840513.tif 000006
【図６】
0003840513.tif 000007
【図７】
0003840513.tif 000008
【図８】
0003840513.tif 000009
【図９】
0003840513.tif 000010
【図１０】
0003840513.tif 000011
【図１１】
0003840513.tif 000012
【図１２】
0003840513.tif 000013
【図１３】
0003840513.tif 000014
【図１４】
0003840513.tif 000015
【図１５】
0003840513.tif 000016
【図１６】
0003840513.tif 000017
【図１７】
0003840513.tif 000018